(57)【特許請求の範囲】
【請求項１】
店頭販売用のワゴン本体と、枠組み形成されてワゴン本体の台板上面に取り付けられたベースフレームと、ベースフレームに対して立設された起立フレームと、ベースフレーム又は起立フレームに取り付けられた折り畳み自在なパネルとから成り、パネルは折り畳んだ状態でワゴン本体の前面のみ又は前面及び側面を覆う壁面パネルとなり、展開した状態では起立フレームの前面のみ又は前面及び側面を囲う壁面パネルとなることを特徴とする簡易型販売台。
【請求項２】
パネルが上下に折り畳み自在で、上半分のパネルの方が下半分のパネルよりも上下方向の寸法が長い請求項１に記載の簡易型販売台。
【請求項３】
パネルの大きさが、折り畳んだ状態で、ワゴン本体の前面のみ又は前面と側面の全面をカバーするように設定されている請求項１又は２に記載の簡易型販売台。
【請求項４】
パネルを展開した状態から折り畳むときに、パネルをくの字状態で仮止めする係合部がパネルと起立フレームとの間に設けられている請求項１乃至３のいずれか一つに記載の簡易型販売台。
【請求項５】
請求項１乃至４に記載の簡易型販売台を複数台集めて隣位の販売台どうしを連結し、各販売台のパネルを展開することにより、集合した販売台の全周囲を連続したパネル壁面で囲うようにしたことを特徴とする簡易型販売台による壁面の構築構造。
【請求項６】
ワゴン本体の台板上面に取り付けられる枠組みされたベースフレームと、ベースフレームに対して立設される起立フレームとから成り、ベースフレームは、台板の前面及び左右両側面の上端縁に載置されるアッパーフレームと、後面の下部側に位置するアンダーフレームとを有し、前面側のアッパーフレームには起立フレームの挿込部が取り付けられており、後面のアンダーフレームには台板の下面側を挟持するための挟持片が取り付けられており、起立フレームはワゴン本体の前面側に面するフロントフレームと、ワゴン本体の側面側に面するサイドフレームとを有することを特徴とする簡易型販売台のフレーム。
【請求項７】
フロントフレームの下部側には、上下に折り畳み自在なパネルが取り付けられる請求項６に記載の簡易型販売台のフレーム。
【発明の詳細な説明】
【０００１】
【発明の属する技術分野】
本発明は、駅構内や空港ターミナル等で臨時的に物品販売を行う場合に使用される簡易型販売台及びこれによる壁面の構築構造並びにこれに使用するフレームに関するものである。
【０００２】
【従来の技術】
駅や空港ターミナル等の構内では、臨時的に各地方の特産物の販売を行う物産展や記念セール等の物品販売が行われることが多く、簡易型販売台が使用されている。また通常の商店の店頭等においても、商品の出し入れや展示の便利さのために、簡易型の販売台が使用されている。図１１は、従来の簡易型販売台１を示す斜視図である。同図に示すように、従来の簡易型販売台１は、キャスター２によって移動可能なワゴン本体３を有し、このワゴン本体３の上面側に商品を載置するための台板４が取り付けられている。ワゴン本体３は、パイプ５で骨組みが形成されており、周囲の壁面を帆布で覆ったり、ベニヤ板等で囲う等の表面化粧材６が取り付けられている。また台板４の周辺には、商品等の落下を防止するための１０〜２０ｃｍ程度の高さの周辺縦枠７が取り付けられている。
【０００３】
【発明が解決しようとする課題】
そして、このように構成された従来の簡易型販売台１では、閉店時に、これらの販売台１の商品を次の二つの方法によって保管収納するようにしていた。一つ目の方法は、販売商品を販売台１ごと倉庫へ運搬して行う方法である。また二つ目の方法は、販売商品が載ったままの簡易型販売台１の全てを一か所に集合させて全体にシートを被せ、シートの上からロープで縛って防犯対策を行う方法である。
【０００４】
ところが、販売商品を販売台１ごと倉庫へ運搬して保管収納する場合は、販売台１の全てを収容するだけの大きなスペースの倉庫が必要であった。また倉庫への移動中に、誘導タイル等によって商品がバウンドし、商品によっては破損する危険性が高いという欠点と、移動中に他のお客さんとの接触事故が発生する原因となる欠点があった。更には、誘導タイルと販売台１のキャスター２との接触による摩耗が発生し、メンテナンスや部品交換等のための余分な費用がかかるという欠点もあった。
【０００５】
一方、販売台１の全てを集合させてシートを被せ、ロープで縛って保管する方法の場合は、次のような多くの欠点があった。すなわち、販売台１に載ったままの商品の上にシートを被せるため、壊れ易い商品がある場合には、これを別途片付けておく必要があり、しかもその取扱いを慎重に行う必要があった。また多数の販売台１を集合させたときに、全体の大きさがシートでカバーできるものでなければならず、それに応じた大きさのシートを準備するか、シートの大きさごとに販売台１をまとめてロープで縛る必要があった。更に、シートを被せただけでは、商品の盗難事故が発生するので、シートの上からロープで縛って商品が外部から見えないようにしなければならないが、この作業が極めて面倒であった。
【０００６】
しかも、シート１枚の重さは、２５Ｋｇ程度あり、販売店員の多くの女性が一人で作業するにはかなりの負担がかかり、夏場等は着替えが必要になるほどの重労働であった。更にまた、シートの収納容量を越えて収納した場合には、販売商品の一部が外部に露出し、盗難事故の原因になるという欠点があった。それに加えて、シートはカッターナイフ等によって容易に切断されるビニール等の材料で成形されており、故意に切断する等の悪戯が発生したり、盗難事故にあう等の問題があった。またこの種の物産展等に使用される販売台１の高さは、カバンを一時的に置いたり、腰掛けるのにちょうど便利な高さであり、これらのために商品が損傷するという問題もあった。
【０００７】
【課題を解決するための手段】
本発明は従来の前記課題に鑑みてこれを改良除去したものであって、販売台の周囲にパネル壁面を構築し、その中に陳列商品を営業時の状態で保管収納することのできる簡易型販売台及び壁面の構築構造並びにフレームを提供せんとするものである。
【０００８】
而して、前記課題を解決するために本発明が採用した請求項１の手段は、店頭販売用のワゴン本体と、枠組み形成されてワゴン本体の台板上面に取り付けられたベースフレームと、ベースフレームに対して立設された起立フレームと、ベースフレーム又は起立フレームに取り付けられた折り畳み自在なパネルとから成り、パネルは折り畳んだ状態でワゴン本体の前面のみ又は前面及び側面を覆う壁面パネルとなり、展開した状態では起立フレームの前面のみ又は前面及び側面を囲う壁面パネルとなることを特徴とする簡易型販売台である。
この発明による販売台は、ベースフレーム又は起立フレームに取り付けられたパネルが折り畳み自在であり、パネルを折り畳んだ状態ではワゴン本体の前面等を覆う壁面パネルとなっているので、販売台の上面側とは干渉することがない。
従って、販売台上に載置した商品の販売を従来同様に行うことが可能である。また、パネルを展開した状態では、販売台の上面側に起立するフレームの前面等の壁面パネルとなる。従って、後述する要領で、多数の販売台の全周囲にパネル壁面を構築することが可能である。
【０００９】
本発明が採用した請求項２の手段は、パネルが上下に折り畳み自在で、上半分のパネルの方が下半分のパネルよりも上下方向の寸法が長い請求項１に記載の簡易型販売台である。
この発明によれば、パネルを折り畳んだ状態で上半分のパネルが、下半分のパネルを覆い隠すことができ、見栄えがよい。
【００１０】
本発明が採用した請求項３の手段は、パネルの大きさが、折り畳んだ状態で、ワゴン本体の前面のみ又は前面と側面の全面をカバーするように設定されている請求項１又は２に記載の簡易型販売台である。
この発明では、上半分のパネルがワゴン本体の前面等の全面をカバーすることができ、見栄えがよい。
【００１１】
本発明が採用した請求項４の手段は、パネルを展開した状態から折り畳むときに、パネルをくの字状態で仮止めする係合部がパネルと起立フレームとの間に設けられている請求項１乃至３のいずれか一つに記載の簡易型販売台である。
パネルを展開した状態から折り畳むときに、パネルが一気に床の方まで落ちることがなく、安全である。
【００１２】
本発明が採用した請求項５の手段は、請求項１乃至４に記載の簡易型販売台を複数台集めて隣位の販売台どうしを連結し、各販売台のパネルを展開することにより、集合した販売台の全周囲を連続したパネル壁面で囲うようにしたことを特徴とする簡易型販売台による壁面の構築構造である。
この発明では、パネルを展開して隣位の販売台どうしを連結することで、集合した販売台の全周囲に連続したパネル壁面を構築することが可能であり、閉店時に、販売台を倉庫へ移動したり、シートを被せてロープで縛る等の面倒な作業が不要である。
【００１３】
本発明が採用した請求項６の手段は、ワゴン本体の台板上面に取り付けられる枠組みされたベースフレームと、ベースフレームに対して立設される起立フレームとから成り、ベースフレームは、台板の前面及び左右両側面の上端縁に載置されるアッパーフレームと、後面の下部側に位置するアンダーフレームとを有し、前面側のアッパーフレームには起立フレームの挿込部が取り付けられており、後面のアンダーフレームには台板の下面側を挟持するための挟持片が取り付けられており、起立フレームはワゴン本体の前面側に面するフロントフレームと、ワゴン本体の側面側に面するサイドフレームとを有することを特徴とする簡易型販売台のフレームである。
この発明は、前記請求項１〜５に記載の販売台を実現するためのフレームを提供するものである。
【００１４】
本発明が採用した請求項７の手段は、フロントフレームの下部側には、上下に折り畳み自在なパネルが取り付けられる請求項５に記載の簡易型販売台のフレームである。
上下に折り畳み自在なパネルを、フロントフレームの下部側に設けることにより、折り畳んだ状態ではワゴン本体の前面側をカバーし、販売台の上面側で商品の販売を行うことが可能である。またパネルを展開した状態では、販売台の上面側を囲うことができ、そのまの位置で商品の保管収納が可能である。
【００１５】
【発明の実施の形態】
以下に、本発明の構成を図面に示す発明の実施の形態に基づいて説明すると次の通りである。なお、従来の場合と同一符号は同一部材である。図１乃至図１０は、本発明の一実施の形態に係るものである。同図に示す如く、この実施の形態における簡易型販売台８は、従来と同じ構成のワゴン本体３と、このワゴン本体３の上面に取り付けられるベースフレーム９と、ベースフレーム９に対して立設される起立フレーム１０と、起立フレーム１０の下部側に折り畳み自在に取り付けられるパネル１１とから成る。
【００１６】
ベースフレーム９は、図５に示すように、前面側と左右の両側面側が断面Ｌ字状のアングル材からなるアッパーフレーム１２ａ〜１２ｃで形成されており、後面側が軽量形鋼等の角柱材からなるアンダーフレーム１２ｄ及びその接続用の中間フレーム１２ｅとで形成されている。そして、これらのフレーム１２ａ〜１２ｅによって、ワゴン本体３の台板４とほぼ同じ大きさに枠組み形成されている。前面側のアッパーフレーム１２ａの前面側の両端寄りには、後述する起立フレーム１０を差し込んで保持するための断面コ字状の挿込部１３ａ及び１３ｂが設けられており、後面側のアンダーフレーム１２ｄの下面側には台板４の下面側に当接し、これを挟持するための挟持片１４ａ及び１４ｂが取り付けられている。
【００１７】
起立フレーム１０は、軽量形鋼等の角柱材によって縦方向に枠組み形成され、ワゴン本体３の前面側に面するフロントフレーム１５と、ワゴン本体３の側面側に面するサイドフレーム１６Ａ及び１６Ｂとを有している。左右のサイドフレーム１６Ａ及び１６Ｂは、上端面側を天井フレーム１７によって連結され、全体の剛性アップが図られている。またサイドフレーム１６Ａ及び１６Ｂの下端面には、周辺縦枠７の上端面７ａに載置される平板状のサイドメンバー１８Ａ及び１８Ｂが取り付けられている。更に、これらのフロントフレーム１５とサイドフレーム１６Ａ，１６Ｂと、天井フレーム１７との間には、それぞれ補強フレーム３３が適宜の数設けられている。一方、フロントフレーム１５の下端面のロアメンバー１５Ａは、サイドメンバー１８Ａ及び１８Ｂよりも下方へ延長して形成されており、ロアメンバー１５Ａよりも上方の位置には、中間メンバー１５Ｂが取り付けられている。
【００１８】
而して、前記フロントフレーム１５のロアメンバー１５Ａには、図３及び図４等に示すように、蝶番１９によって上下に二分割されるアルミ合金製等のパネル２０が別の蝶番２１を介して取り付けられている。上部パネル２０Ａは、下部パネル２０Ｂよりも上下方向の寸法が長くなるように設定されている。またフロントフレーム１５の上端側のアッパーメンバー１５Ｃには、前記上部パネル２０Ａの上端面を差し込むための板状に連続したフック２２が取り付けられており、フロントフレーム１５の左右の縦フレーム１５Ｄ及び１５Ｅの内側面には、パネル２０を折り畳むときに、上下のパネル２０Ａ及び２０Ｂを一旦くの字の状態で仮保持するためのストッパー２３が取り付けられている。これに対応して、上部パネル２０Ａの背面側（図４の図（Ａ）において右側）には、前記ストッパー２３に係合するためのフック２４が取り付けられている。更にまた、下部パネル２０Ｂの上部側には、図４の図（Ａ）に示すパネル展開用の治具２５を差し込むための小孔２６が穿設されており、その裏面側においてゴム等の弾性材料２７によって隠蔽されている。
【００１９】
次に、このように構成されたベースフレーム９と起立フレーム１０及びパネル２０をワゴン本体３へ設置する場合について説明する。先ず、ベースフレーム９をワゴン本体３の台板４上へ設置する。ベースフレーム９は、後面側を押し下げて前面側をやや上向きにした斜めの状態にし、アンダーフレーム１２ｄの挟持片１４ａ及び１４ｂを台板４の下面側へ潜り込ませる。そして、ベースフレーム９の前面側を水平状態となるように降ろし、前面及び左右両側面の断面Ｌ字状のアッパーフレーム１２ａ〜１２ｃを、台板４の周辺縦枠７の上端面側からこれに載置する。これにより、ベースフレーム９は、断面Ｌ字状のアッパーフレーム１２ｂ及び１２ｃによって前後方向への動きが規制され、また挟持片１４ａ及び１４ｂとアッパーフレーム１２ａとによって前後方向の動きが規制され、同時に後面側が起き上がることもない。然る後は、前記ベースフレーム９の挿込部１３ａ及び１３ｂに、起立フレーム１０のフロントフレーム１５を差し込み、サイドメンバー１８Ａ及び１８Ｂを周辺縦枠７の上端面へ当接させて載置すればよい。これにより、起立フレーム１０は前後左右方向への動きが規制され、また転倒することもない。
【００２０】
このようにして組み立てられた簡易型販売台８は、図１の図（Ａ）に示すように、営業時にはパネル２０を折り畳んだ状態でその上端面をパネルホルダー２８によって中間メンバー１５Ｂへ係止し、またアッパーメンバー１５Ｃに暖簾棒を係止するためのフックを設ける等して暖簾２９をかけて商品の販売を行えばよい。パネル２０は、折り畳んだ状態で、上部パネル２０Ａが前面側へ位置し、床面よりやや上方の位置から中間メンバー１５Ｂの高さまでの領域、すなわち、ワゴン本体３の前面側の全面をカバーするようになり、通行人からの見栄えもよい。また商品を購入しようとする者の靴の先端がワゴン本体３の下方へ入り込むこともなく、安全でもある。
【００２１】
一方、閉店時に際しては、パネルホルダー２８を取り外し、上下二枚のパネル２０Ａ及び２０Ｂを展開し、上方へ押し上げる。そして、上部パネル２０Ａの上端側を図４の図（Ａ）に示すように、板状に連続したフック２２へ係止させればよい。またこの展開した状態で、パネル２０Ａ又は２０Ｂの一部と縦フレーム１５Ｄ及び１５Ｅとの間に、磁性体（図示せず）等によって一時的にパネル２０Ａ及び２０Ｂを展開状態で保持しておくための機構を設けるようにすればよい。然る後は、パネル２０Ａ又は２０Ｂと、縦フレーム１５Ｄ及び１５Ｅとの間に設けたロック機構（例えば、フランス錠等）によって、パネル２０Ａ及び２０Ｂが容易に脱落しないようにすればよい。
【００２２】
ところで、このような簡易型販売台８による物産展等における商品の販売は、多数の販売台８を図１０の図（Ｂ）に示すように配置して行うことが多く、このような場合は、隣位の販売台８の起立フレーム１０どうしを連結することで、図１０の図（Ａ）に示すように、全ての販売台８の全周囲を一つのパネル壁面３０で囲うことが可能である。パネル壁面３０の構築は、各販売台８のパネル２０を図１の図（Ｂ）に示す閉店時の状態にするだけでよく、女性の販売店員であっても容易である。
【００２３】
なお、隣位の販売台８どうしの連結は、直線部の場合は、図６に示す要領で行えばよい。すなわち、同図の図（Ｂ）に示す開口部３１が狭まったＣ型チャンネル鋼等の連結具３２を用いて、隣位の販売台８の補強フレーム３３，３３どうしを連結すればよい。連結具３２は、開口部３１を水平方向へ向けて横方向から補強フレーム３３，３３へ装入し、その後連結具３２を９０度回転させて開口部３１を下向きにすればよい。これにより、隣位の起立フレーム１０どうしが相互に連結されることになる。
【００２４】
またコーナーの部分に配置される販売台８にあっては、図８及び図９に示すように、ワゴン本体３の前面と左右側面のいずれか一方（図面では右側面の場合を示す）に面して平面視した状態でＬ字状の起立フレーム３４を設置するようにしている。コーナー用のベースフレーム３５は、その出隅部に起立フレーム３４の出隅部分３６を支承するためのコーナー受け具３７が取り付けられている。また前面側のアッパーフレーム１２ａの左端寄りには直線部のベースフレーム９の場合と同じように挿込部１３ａが取り付けられており、右側面側のアッパーフレーム１２ｃの後面寄りには別の挿込部１３ｂが取り付けられている。そして、コーナー用の起立フレーム３４の前面側は基本的には直線部の起立フレーム１０の構成と同じであり、右側面部は起立フレーム１０のフロントフレーム１５と同じ構成の右側面フロントフレーム３８が設けられている。つまり、右側面部においても、上下に二分割されるパネル２０を装着することが可能である。
【００２５】
このコーナー部の販売台８の前面側は、前述した直線部の販売台８の場合と同じ要領で隣位の販売台８の起立フレーム１０どうしを連結し、右側面部にあっては右側面フロントフレーム３８の縦フレーム１５Ｆと、隣位の直線部の販売台８の縦フレーム１５Ｄとに跨がって、図７の図（Ｂ）に示す連結具３９を装着すればよい。この連結具３９は、コーナー部の販売台８の縦フレーム１５Ｆに対して縦方向に沿って係合する断面コ字状の係合部４０と、直線部の販売台８の補強フレーム３３，３３に対して上方から嵌合する断面コ字状の嵌合部４１ａ，４１ｂとを有している。コーナー部の販売台８と直線部の販売台８との連結は、図７の図（Ａ）に示すように、連結具３９の係合部４０をコーナー部の販売台８の縦フレーム１５Ｆに係合させ、この状態で連結具３９の全体を下方向へスライドさせ、上下二段に形成された嵌合部４１ａ及び４１ｂを、直線部の販売台８の上下の補強フレーム３３，３３へ嵌合させればよい。これにより、コーナー部の販売台８と直線部の販売台８との起立フレームどうしの連結が可能である。
【００２６】
これにより、直線部の販売台８とコーナー部の販売台８とを組み合わせることで、図１０の図（Ｂ）に示すような配置形態が可能であり、営業時は、各販売台８のパネル２０を図１の図（Ａ）に示すように折り畳んで収納した状態で特産品等の販売を行うことができる。また閉店時は、図１の図（Ｂ）に示すように、パネル２０を展開した状態にすればよい。このパネル２０の折り畳み及び展開作業が女性の販売店員であっても容易であることは、前述した通りである。なお、コーナー部の販売台８のうち、その一つについては、図１０の図（Ａ）に示すように、パネル２０を展開した状態で外側から起立フレームに対して施錠（図面では符号４２がロック機構を示している）を行うようにすれば、集合した販売台８のパネル２０によって連続した一つの壁面３０を構築することができ、販売台８の台板４上に特産品等の商品を載置したままの状態で店終いを行うことが可能である。
【００２７】
更に、閉店後の翌日等に、パネル２０を展開した状態から、開店時の状態へ折り畳む場合は、最後に施錠したパネル２０の施錠を解き、図４の図（Ａ）に示すパネル展開用の治具２５を当該パネル２０の小孔２６へ挿通し、パネル２０の全体を手前側へ引き寄せればよい。これにより、パネル２０は上下間において、くの字状に折れ曲がり、パネル裏面側の係止用フック２４が起立フレーム１５に設けたストッパー２３に係合し、仮止め状態となる。然る後は、上部パネル２０Ａを斜め上後方へ押し上げて前記フック２４とストッパー２３との係合を外し、パネル２０の全体を手前側へ引き寄せてワゴン本体３の前面側へ降ろし、図１の図（Ａ）に示すように折り畳んで上部パネル２０Ａの上端側をパネルフック２８で中間メンバー１５Ｃへ係止すればよい。
【００２８】
ところで、本発明は上述した実施の形態に限定されるものではなく、適宜の変更が可能である。例えば、パネル２０を展開した状態のパネル２０の床面からの高さは、防犯等を考慮して販売構内の建物施設に対応させる等して決定すればよいが、通常は１８００ｍｍもあれば十分である。またパネルのロック機構並びに施錠機構については、あらゆる施錠に関する部品の適用が可能である。更に、隣位の販売台８の起立フレームどうしの連結は、紐や金属線等の線材、周知のバインダー等であってもよい。更にまた、販売台８は、パネル２０による壁面３０が出隅である場合を説明したが、入隅となる場合へも適用可能である。但し、入隅の場合は隣位の販売台８の起立フレームどうしの連結は、別途コーナー部専用の販売台を設けるか、又はフレーム形式行うようにすることが必要である。更にまた、パネル２０の取り付けは、ベースフレーム９であってもよく、起立フレーム１０であってもよい。それに加えて、パネル２０には、所望する意匠を施したり、広告宣伝用に利用する等のことも可能である。
【００２９】
【発明の効果】
以上説明しように本発明にあっては、店頭販売用のワゴン本体と、枠組み形成されてワゴン本体の台板上面に取り付けられたベースフレームと、ベースフレームに対して立設された起立フレームと、ベースフレーム又は起立フレームに取り付けられた折り畳み自在なパネルとで簡易型販売台を構成している。そして、パネルは、折り畳んだ状態でワゴン本体の前面のみ又は前面及び側面を覆う壁面パネルとなり、展開した状態では起立フレームの前面のみ又は前面及び側面を囲う壁面パネルとなるようにしている。そのため、開店時は台板上に載置した商品の販売を従来同様に行うことが可能であり、閉店時は前面側又は側面側を覆うパネル壁面とすることが可能である。
【００３０】
また本発明にあっては、前記簡易型販売台を複数台集めて隣位の販売台どうしを連結し、各販売台のパネルを展開した状態で係止することにより、集合した販売台の全周囲を連続したパネル壁面で囲うようにすることができる。従って、閉店時に、販売台を倉庫へ移動したり、シートを被せてロープで縛る等の面倒な作業が不要であり、商品が損傷する等の問題もない。
【００３１】
更に、本発明にあっては、ワゴン本体の台板上面に取り付けられる枠組みされたベースフレームと、ベースフレームに対して立設される起立フレームとで簡易型販売台の骨組みを形成するようにしたから、販売台の組み立て及び分解作業が極めて容易であり、作業性に優れている。
【図面の簡単な説明】
【図１】本発明の一実施の形態に係るもので、図（Ａ）は営業時の販売台の斜視図、図（Ｂ）は閉店時の販売台の斜視図である。
【図２】本発明の一実施の形態に係るもので、図（Ａ）は営業時の販売台の正面図で、図（Ｂ）は同平面図である。
【図３】本発明の一実施の形態に係るもので、図（Ａ）は営業時の販売台の側面図で、図（Ｂ）は閉店時の販売台の側面図である。
【図４】本発明の一実施の形態に係るもので、図（Ａ）は閉店時の展開状態のパネルを示す側面図、図（Ｂ）は営業時の折り畳んだ状態のパネルの一部を示す側面図である。
【図５】本発明の一実施の形態に係るもので、ベースフレームと起立フレームの分解斜視図である。
【図６】本発明の一実施の形態に係るもので、図（Ａ）は直線部における連結部を示す斜視図で、図（Ｂ）はその連結具の斜視図である。
【図７】本発明の一実施の形態に係るもので、図（Ａ）はコーナー部の販売台と隣位の販売台の連結部を示す斜視図で、図（Ｂ）は連結具の斜視図である。
【図８】本発明の一実施の形態に係るもので、図（Ａ）はコーナー用ベースフレームの平面図で、図（Ｂ）は同正面図、図（Ｃ）は同側面図、
【図９】本発明の一実施の形態に係るもので、図（Ａ）はコーナー用起立フレームの正面図で、図（Ｂ）は同平面図、図（Ｃ）は同側面図である。
【図１０】本発明の一実施の形態に係るもので、図（Ａ）は複数台の販売台で構築したパネル壁面を示す斜視図、図（Ｂ）はその販売台の配置図を示す平面図である。
【図１１】従来の販売台を示す斜視図である。
【符号の説明】
３…ワゴン本体、８…簡易型販売台、９…ベースフレーム、１０…起立フレーム、２０…パネル、２０Ａ…上部パネル、２０Ｂ…下部パネル
【図１】
0004531912.tif 000002
【図２】
0004531912.tif 000003
【図３】
0004531912.tif 000004
【図４】
0004531912.tif 000005
【図５】
0004531912.tif 000006
【図６】
0004531912.tif 000007
【図７】
0004531912.tif 000008
【図８】
0004531912.tif 000009
【図９】
0004531912.tif 000010
【図１０】
0004531912.tif 000011
【図１１】
0004531912.tif 000012